(57)【要約】【課題】複数の照明モジュールを備え、当該複数の照明モジュールのそれぞれが発する光の輝度を最適に制御できる、照明装置を提供する。【解決手段】照明装置１は、複数の照明モジュール１０と、照明モジュール１０の点灯状態を制御する外部コントローラ３０とを備える。外部コントローラ３０は、照明モジュール１０の各々の装着位置と発光性能とに対応して、照明モジュール１０のそれぞれが発する光の輝度を制御する。【選択図】図１
2012113977.tif 000002
【特許請求の範囲】
【請求項１】
複数の照明モジュールと、
前記照明モジュールの点灯状態を制御するコントローラとを備え、
前記コントローラは、前記照明モジュールの各々の装着位置と発光性能とに対応して、前記照明モジュールのそれぞれが発する光の輝度を制御する、照明装置。
【請求項２】
前記コントローラは、前記照明モジュールの各々の劣化度を判定し、相対的に劣化の大きい前記照明モジュールが発する光の輝度を小さくするように、前記照明モジュールを制御する、請求項１に記載の照明装置。
【請求項３】
前記コントローラは、前記照明モジュールの累積稼働時間に基づいて、前記照明モジュールの各々の劣化度を判定する、請求項２に記載の照明装置。
【請求項４】
前記コントローラは、相対的に劣化の大きい前記照明モジュールに近接して装着された近接照明モジュールがその最大限の輝度の光を発するように、前記照明モジュールを制御する、請求項２または請求項３に記載の照明装置。
【請求項５】
前記コントローラは、前記照明モジュールの各々の累積稼働時間を平準化するように、前記照明モジュールのそれぞれが発する光の輝度を制御する、請求項１から請求項４のいずれかに記載の照明装置。
【請求項６】
前記照明モジュールは、ある電圧が前記照明装置に印加されるとき相対的に輝度の大きい光を発する高性能モジュールと相対的に輝度の小さい光を発する低性能モジュールとを含み、
前記コントローラは、前記照明装置に印加される電圧を変動させる、請求項１に記載の照明装置。
【請求項７】
複数の照明モジュールを備える照明装置の制御方法であって、
前記照明モジュールの各々の装着位置を特定するステップと、
前記照明モジュールの各々の発光性能を特定するステップと、
前記照明モジュールの各々の装着位置と発光性能とに対応して、発する光の輝度を異ならせて前記照明モジュールのそれぞれを点灯させるステップと、を備える、照明装置の制御方法。
【発明の詳細な説明】
【技術分野】
【０００１】
本発明は、照明装置および照明装置の制御方法に関し、特に、複数の照明モジュールを備える照明装置と、その照明装置の制御方法と、に関する。
【背景技術】
【０００２】
近年、これまでの点発光照明に代わり、面発光光源の照明モジュールが注目されている。たとえば、特許文献１では、従来使用されてきた白熱電球用のソケットに、有機ＥＬ素子を用いた面状照明を装着する発明が提案されている。
【０００３】
また、照明のメンテナンスに関する発明も各種提案されている。たとえば特許文献２では、ユーザの片手におさまる面状照明を提案しており、ユーザが照明を交換する際の安全性、保守性を向上させている。さらに、特許文献３では、複数個の照明装置を敷き詰めて発光させる手法について提案されている。この発明を用いれば、天井一面に照明装置を張り巡らせて発光させることが可能となるが、照明装置を個々で制御することができれば、より最適な状態で照明装置を利用することができる。
【０００４】
また、照明装置はメーカ毎に異なる特徴をもつ経時変化が起きるが、特許文献４では、屋外用照度センサを用いて建物内の照度が最適になるように調光制御し、照明器具の特性に依らない制御を行なっている。
【０００５】
個々の照明装置を認証するためには、照明装置と制御側とでＩＤ認証を行なう必要がある。画像処理装置の分野では、消耗品であるカートリッジと画像処理装置本体との間で認証する手法が各種提案されている。たとえば、特許文献５では、カートリッジの誤装着を検知するために、カートリッジに発信用のチップを装着し、装着される画像処理装置側では非接触の受信用タグを備えている。また、特許文献６では、消耗品がメーカ純正であるかどうかを確認するために、消耗品に不揮発性メモリを搭載する手法を提案している。
【先行技術文献】
【特許文献】
【０００６】
【特許文献１】特開２０１０−３５４７号公報
【特許文献２】特開２００７−５２２７号公報
【特許文献３】特開２００９−１５２１３７号公報
【特許文献４】特開２００６−１２６７９号公報
【特許文献５】特開２００７−１４０２６６号公報
【特許文献６】特開２００９−３００６９４号公報
【発明の概要】
【発明が解決しようとする課題】
【０００７】
照明を装着するためのソケットが天井や壁などに作り付けされていた場合、そのソケット部に消耗品である照明モジュールを装着して、照明システムを稼動する。天井や壁などに照明モジュールを設置する際には、タイル状に敷き詰めると考えられ、照明モジュールを同時に複数個稼動させることとなる。
【０００８】
個々の照明モジュールには、性能や寿命に差異があると想定できる。たとえば、学習机を照らす照明には目に優しい高性能な照明モジュールを設置し、普段は開けないキャビネットの付近は性能の低い照明モジュールを設置するなど、ユーザによっては、異なる製品シリーズの照明モジュールを一つの照明システム内に混在させることが想定される。また、オープンフロアな住居では、キッチン、食卓、リビングなど、照明の使用頻度はそれぞれ異なると想定でき、個々の照明モジュールの累積稼働時間は必然的に差異が発生する。省エネの観点からも、部屋全体を同一のレベルで点灯させるのではなく、上述したような学習机の上、キャビネットの上、映画を鑑賞するリビングなど、人の活動にあわせて異なるレベルで照明を点灯させたいというニーズも存在する。
【０００９】
家庭に限らず店舗やオフィスでも、商品陳列棚やプレゼンルームなどは高性能な照明で照らし、倉庫、廊下、エレベータなどは性能の低い照明を設置する、というニーズもある。また、店舗において、高性能な照明を設置していたとしても、顧客がいない時には輝度を落として点灯すると、さらに省エネを図ることができる。大きなホールや多目的ルームなどは、様々な形態でスペースが利用されるため、ユーザが照明を柔軟に制御したいというニーズが高いと考えられ、照明モジュール毎の累積稼働時間の差異が大きいと想定される。
【００１０】
個々の照明モジュール毎の固有の特性および寿命の差異により、天井面にタイル上に敷き詰められた照明モジュールを全体で一括制御するのは困難である。一方、ユーザが各照明モジュールを１つずつ操作するのは現実的ではない。そこで、ユーザにとっては一括制御または簡便な制御であるが、個々のモジュール差をユーザには意識させずにシステム側で吸収できるような、一つの照明モジュールに取り付けられた複数個の照明モジュールを個々で制御するシステムが必要である。
【００１１】
本発明は上記の問題に鑑みてなされたものであり、その主たる目的は、複数の照明モジュールを備え、当該複数の照明モジュールのそれぞれが発する光の輝度を最適に制御できる、照明装置を提供することである。
【課題を解決するための手段】
【００１２】
本発明に係る照明装置は、複数の照明モジュールと、照明モジュールの点灯状態を制御するコントローラとを備える。コントローラは、照明モジュールの各々の装着位置と発光性能とに対応して、照明モジュールのそれぞれが発する光の輝度を制御する。
【００１３】
上記照明装置において好ましくは、コントローラは、照明モジュールの各々の劣化度を判定し、相対的に劣化の大きい照明モジュールが発する光の輝度を小さくするように、照明モジュールを制御する。
【００１４】
上記照明装置において好ましくは、コントローラは、照明モジュールの累積稼働時間に基づいて、照明モジュールの各々の劣化度を判定する。
【００１５】
上記照明装置において好ましくは、コントローラは、相対的に劣化の大きい照明モジュールに近接して装着された近接照明モジュールがその最大限の輝度の光を発するように、照明モジュールを制御する。
【００１６】
上記照明装置において好ましくは、コントローラは、照明モジュールの各々の累積稼働時間を平準化するように、照明モジュールのそれぞれが発する光の輝度を制御する。
【００１７】
上記照明装置において好ましくは、照明モジュールは、ある電圧が照明装置に印加されるとき相対的に輝度の大きい光を発する高性能モジュールと相対的に輝度の小さい光を発する低性能モジュールとを含み、コントローラは、照明装置に印加される電圧を変動させる。
【００１８】
本発明に係る照明装置の制御方法は、複数の照明モジュールを備える照明装置の制御方法であって、照明モジュールの各々の装着位置を特定するステップと、照明モジュールの各々の発光性能を特定するステップと、照明モジュールの各々の装着位置と発光性能とに対応して、発する光の輝度を異ならせて照明モジュールのそれぞれを点灯させるステップと、を備える。
【発明の効果】
【００１９】
本発明の照明装置によると、複数の照明モジュールのそれぞれが発する光の輝度を最適に制御することができる。
【図面の簡単な説明】
【００２０】
【図１】実施の形態１の照明装置の構成の一部を示す斜視図である。
【図２】図１に示す照明装置のブロック図である。
【図３】部屋の天井部全体に配置された照明装置の、ソケットの各升目毎に定まる位置情報を表す平面模式図である。
【図４】照明モジュールから外部コントローラへ製造ＩＤを登録する信号の流れを示す模式図である。
【図５】照明モジュールの累積稼働時間を管理するフローチャートである。
【図６】照明モジュールが発する光の輝度を示す模式図である。
【図７】劣化の大きい照明モジュールを有する照明装置の例を示す模式図である。
【図８】劣化の大きい照明モジュールを温存する制御例を示す模式図である。
【図９】累積稼働時間に基づいて消灯する照明モジュールの優先順位を定めるフローチャートである。
【図１０】劣化の大きい照明モジュールを有する照明装置の他の例を示す模式図である。
【図１１】劣化の小さな照明モジュールをフル稼働する制御例を示す模式図である。
【図１２】照明モジュールが発する光の輝度を周期的に変動させる例を示す模式図である。
【図１３】照明モジュールが発する光の輝度を周期的に変動させる例を示す模式図である。
【図１４】劣化の大きい照明モジュールを有する照明装置の他の例を示す模式図である。
【図１５】傾斜駆動可能な照明モジュールが劣化の大きな照明モジュールを取り囲む制御例を示す模式図である。
【図１６】劣化の大きい照明モジュールを有する照明装置の他の例を示す模式図である。
【図１７】傾斜駆動可能な照明モジュールを壁方向に傾け壁の反射を利用する制御例を示す模式図である。
【図１８】照明モジュールの累積使用時間と内部抵抗との関係を示すグラフである。
【図１９】照明モジュールの累積使用時間と照明モジュールに印加される電圧との関係を示すグラフである。
【図２０】使用用途に応じて部屋内の照明モジュールを使い分ける例を示す模式図である。
【発明を実施するための形態】
【００２１】
以下、図面に基づいてこの発明の実施の形態を説明する。なお、以下の図面において、同一または相当する部分には同一の参照番号を付し、その説明は繰返さない。
【００２２】
（実施の形態１）
図１は、実施の形態１の照明装置１の構成の一部を示す斜視図である。図１に示すように、照明装置１は、複数の照明モジュール１０と、照明モジュール１０を装着するためのソケット２０とを備える。ソケット２０は、住居またはオフィス内の部屋などの、照明装置１が設置される空間の、天井部に取り付けられている。ソケット２０は、天井部に埋め込まれるなど、天井部に作り付けにされている。ソケット２０は、格子状に形成され、それぞれの升目形状の内側に照明モジュール１０を保持するソケット本体部２６と、ソケット本体部２６と天井部との間に介在してソケット本体部２６を天井部に対して固定するソケット固定部２５と、を含む。
【００２３】
照明装置１は、複数の照明モジュール１０の各々の点灯状態を制御するコントローラとしての外部コントローラ３０を備える。図１では、ソケット２０と無線で接続されるハンディリモコンタイプの外部コントローラ３０が図示されている。外部コントローラ３０は、ソケット２０と有線で接続され、照明装置１が設置される空間の壁に埋め込まれるタイプであってもよい。
【００２４】
図２は、図１に示す照明装置１のブロック図である。図２に示すように、照明モジュール１０は、その内部に、照明モジュール１０の本体を構成し光を発する発光部１１と、照明モジュール１０自身の識別情報（以下、製造ＩＤと称する）を保持するためのメモリ１３と、メモリ１３に格納された製造ＩＤをソケット２０を介して外部コントローラ３０へ送信する送信部１２と、を含む。メモリ１３は、不揮発性メモリである。照明モジュール１０がメモリ１３を搭載せず、外部のデータベースにアクセスして照明モジュール１０の製造ＩＤを入手する形態としても構わない。
【００２５】
照明モジュール１０が装着されるソケット２０は、照明モジュール１０の発光部１１へ通電する通電部２２と、照明モジュール１０の送信部１２から照明モジュール１０の製造ＩＤを取得する受信部２３と、外部コントローラ３０と通信して信号を送受信する通信部２４と、を含む。ソケット２０はまた、制御部２１を含む。制御部２１は、通信部２４が外部コントローラ３０から受信した信号に基づいて、通電部２２による照明モジュール１０の発光部１１への通電を制御し、加えて、受信部２３が照明モジュール１０の送信部１２から取得した照明モジュール１０の製造ＩＤを、通信部２４を経由して外部コントローラ３０へ送信する。
【００２６】
外部コントローラ３０は、ある単位（たとえば一部屋）で束ねられた複数の照明モジュール１０を制御する。外部コントローラ３０は、照明モジュール１０の点灯状態を制御する制御部３１と、照明モジュール１０の点灯状態に代表される各種情報を表示する表示部３２と、照明モジュール１０の製造ＩＤおよびソケット２０の位置情報などを格納するメモリ３３と、ソケット２０の通信部２４と通信して信号を送受信する通信部３４と、ユーザが照明モジュール１０の点灯状態を操作するための操作部３５と、を含む。
【００２７】
外部コントローラ３０は、照明モジュール１０のメモリ１３から照明モジュール１０の製造ＩＤを取得し、メモリ３３に登録する。各々の照明モジュール１０は、自分自身の製造ＩＤをメモリ１３に保持している。この製造ＩＤを参照することにより、照明モジュール１０のメーカや製品番号などに加え、照明モジュール１０毎の製造時の特性が特定され、これにより、照明モジュール１０の個体毎の特性が特定される。
【００２８】
照明モジュール１０が装着されるソケット２０にもまた、ソケット本体部２６の各升目毎に、予め位置情報が設定されている。図３は、部屋６０の天井部全体に配置された照明装置１の、ソケット２０の各升目毎に定まる位置情報を表す平面模式図である。図３に示す部屋６０には、図中左上側に作業机６１、部屋６０の中央部にテーブル６２、ならびに、部屋６０の隅にドアを開閉するためスペースとして確保されたドア開閉部６３および植物などの静物６４が配置されており、その天井全体に亘ってソケット２０が配置されている。
【００２９】
ソケット２０のソケット本体部２６（図１参照）は略正方形状の升目に分割されており、その升目の各々に照明モジュール１０が装着される。ソケット２０の各升目には、それぞれの位置を示す番地名（以下、ソケットＩＤと称する）が付されている。つまり、図３中の最も左上側のソケットＩＤをＮ１Ｗ１とする。Ｎ番地は図中上下方向の位置を表し、上から下へ進むに従ってＮ１，Ｎ２、Ｎ３と番地数が大きくなる。Ｗ番地は図中左右方向の位置を表し、左から右へ進むにしたがってＷ１，Ｗ２，Ｗ３と番地数が大きくなる。たとえば、図３中最も左側の列の上から７段目の位置はＮ７Ｗ１のソケットＩＤを有し、左から３番目の列の最上段の位置はＮ１Ｗ３のソケットＩＤを有する。部屋６０内のどの場所かを示すソケットＩＤを参照することにより、部屋６０内の位置が特定できる。
【００３０】
図４は、照明モジュール１０から外部コントローラ３０へ製造ＩＤを登録する信号の流れを示す模式図である。各部の位置をソケットＩＤで認識可能なあるソケット２０に照明モジュール１０が装着されると、図４に示すように、照明モジュール１０は自身が持つ製造ＩＤをソケット２０経由で外部コントローラ３０へ転送する。外部コントローラ３０では、ネットワークに接続できる通信部３４を通じてメーカのデータベース４０へアクセスし、製造ＩＤを参照して各種情報を読み込む。
【００３１】
ネットワークを経由してデータベース４０にアクセスする構成に限られず、たとえば、外部コントローラ３０の内部にデータベース４０を保持してもよい。また、データベース４０に常時接続する構成のほか、更新時など限られたときだけメーカのデータベース４０にアクセスする構成でもよい。
【００３２】
外部コントローラ３０は、照明モジュール１０の製造ＩＤに基づいてデータベース４０から各種情報を読み込み、内部に備えたメモリ３３へ必要情報を登録する。照明モジュール１０の位置を表すソケットＩＤに対応して、照明モジュール１０のメーカ品番、推奨累積稼働時間、推奨電流量、推奨電圧量、準拠する規格などの情報が、外部コントローラ３０のメモリ３３に登録される。ユーザは、これらの情報を用いて、ソケット２０に装着した照明モジュール１０が照明装置１で規定されている電流量および電圧量に対応しているかどうかを確認できる。
【００３３】
上記の説明では、照明モジュール１０の各個体ごとに特有の製造ＩＤを有する例を用いたが、照明モジュール１０の型番ごとにＩＤが定められてもよい。その場合は、当該ＩＤと、照明モジュール１０の位置を表すソケットＩＤと、を対にして参照することにより、照明装置１の制御が行なわれる。
【００３４】
外部コントローラ３０の制御部３１は、照明モジュール１０の使用に伴って、メモリ３３に蓄積された各照明モジュール１０毎の情報を更新する。更新された情報を表示部３２に反映させることにより、外部コントローラ３０は、ユーザへ照明モジュール１０の管理情報を提供する。たとえば外部コントローラ３０は、メモリ３３に格納された照明モジュール１０の累積稼働時間、稼動頻度、使用モードなどの情報を随時更新しておき、この随時更新される情報に基づいて、照明モジュール１０の寿命予測や交換タイミングをユーザへ提示する。
【００３５】
また、累積稼働時間に関わらず、照明モジュール１０に適切な使用期限が定められている場合、外部コントローラ３０は、照明モジュール１０ごとに条件を満たしているかどうかを管理する。もし照明モジュール１０が推奨使用期限を過ぎて稼働されていれば、外部コントローラ３０はユーザに照明モジュール１０の交換を促す。
【００３６】
外部コントローラ３０はさらに、動的な情報として、照明モジュール１０の発光部の残量を管理する。たとえば、対象となる照明モジュール１０が、カートリッジの内部に複数の発光面が積層されたカートリッジタイプであった場合、外部コントローラ３０は、カートリッジ内部に保持している発光面の残量を管理し、発光面の残数が少なくなれば、ユーザに発光面の購入を促すことができる。
【００３７】
以上は、照明モジュール１０の必要交換時期に関する情報をユーザに提示してユーザが照明装置１のメンテナンスを行なうように仕向けるシステムであるが、ユーザへの通知に替えて、照明装置１自身が自動で照明モジュール１０の発注を行なってもよい。図４に示すように外部のデータベース４０と外部コントローラ３０とがネットワーク接続されている場合、外部コントローラ３０が照明モジュール１０の交換を決定すると、ネットワークを介して、新規な照明モジュール１０の注文情報が照明装置１の外部へ送信される。このように、照明装置１に、照明モジュール１０の交換を決定し発注を行なう自動発注機能を備えさせてもよい。
【００３８】
次に、以上説明した複数の照明モジュール１０を備える照明装置１における、照明モジュール１０のそれぞれが発する光の輝度の制御について説明する。上述したように、外部コントローラ３０では製造ＩＤに基づいた複数の照明モジュール１０の管理を行っているため、照明モジュール１０ごとに、累積稼働時間を管理することができる。図５は、照明モジュール１０の累積稼働時間を管理するフローチャートである。
【００３９】
図５に基づいて照明モジュール１０の累積稼働時間の管理について説明する。照明装置１が稼働すると、まずステップＳ１において、外部コントローラ３０は照明モジュール１０の製造ＩＤ情報を確認する。加えて、照明モジュール１０が装着された位置のソケットＩＤを確認することで、照明モジュール１０の各々の装着位置を特定する。続いてステップＳ２において、外部コントローラ３０は、ステップＳ１で確認した照明モジュール１０の製造ＩＤが新規のＩＤであるかどうか判断する。既存の製造ＩＤと判断されれば、次にステップＳ３において、当該照明モジュール１０の累積稼働時間が読み込まれ、照明モジュール１０の現状の発光性能が特定される。新規の製造ＩＤと判断されれば、次にステップＳ４において、当該製造ＩＤを有する照明モジュール１０の新規登録処理が行なわれる。
【００４０】
次にステップＳ５において、照明モジュール１０が点灯可能か判断される。たとえば、照明モジュール１０に推奨使用期限が設定される場合、その推奨使用期限に基づいて、照明モジュール１０が点灯可能か否かが判断される。照明モジュール１０の推奨使用期限を過ぎているのであれば、照明モジュール１０は点灯可能でないと判断され、ステップＳ６に進み、エラー処理が行なわれる。照明モジュール１０が推奨使用期限に達していなければ、照明モジュール１０は点灯可能と判断され、ステップＳ７に進み、点灯スタンバイ状態とされる。
【００４１】
次にステップＳ８において、照明モジュール１０の点灯指示があるまで点灯スタンバイ状態が保たれる。点灯指示があるとステップＳ９に進み、照明モジュール１０が点灯されるとともに、照明モジュール１０の稼働に従い累積稼働時間が更新される。ステップＳ１０で照明モジュール１０の消灯指示があるまで、照明モジュール１０は点灯された状態を保ち、照明モジュール１０の累積稼働時間が更新される。消灯指示があると、ステップＳ１１に進み、照明モジュール１０が消灯され、再度ステップＳ１に戻る。
【００４２】
このように照明モジュール１０の累積稼働時間を登録しておけば、外部コントローラ３０が照明モジュール１０の累積稼働時間に基づいて照明モジュール１０の各々の劣化度を判定して、個々の照明モジュール１０毎に以下で示すような動的制御を行なうことが可能となる。
【００４３】
たとえば省エネモードのように、全ての照明モジュール１０をフル稼働で点灯させるのではなく、照明装置１全体として発する光の輝度を下げて点灯させる動作モードが存在したとする。この場合、累積稼働時間を把握していることにより、図７，８に示すような制御を行なうことができる。ここで図６は、照明モジュール１０が発する光の輝度を示す模式図である。図６には、照明モジュール１０が発する光の輝度を六段階に分けて、図中左端に示す黒色の表示は最も輝度が小さいことを示し、右側へ移るに従って輝度は大きくなり、右端の白色の表示は最も輝度が大きいことを示す。図７，８および１０−１３に示す色分けは、この図６に従った光の輝度を示すものである。
【００４４】
図７は、劣化の大きい照明モジュール１０を有する照明装置１の例を示す模式図である。図８は、劣化の大きい照明モジュール１０を温存する制御例を示す模式図である。図７に示したのは、全ての照明モジュール１０に一定の電圧を印加した場合に照明モジュール１０が発生する光の輝度の例であって、Ｎ３Ｗ１のソケットＩＤを有する左部の照明モジュール１０が暗く劣化が進んでいる例である。この場合、照明モジュール１０ごとに電圧を変える制御を行なうのが、本実施の形態で提案する照明モジュール１０の動的制御である。
【００４５】
つまり、図８に示すように、Ｎ３Ｗ１のソケットＩＤを有する劣化の大きな照明モジュール１０と、劣化の大きな照明モジュール１０に対し斜めの位置にあるソケットＩＤがＮ２Ｗ２，Ｎ４Ｗ２の照明モジュール１０とを消灯する。一方、劣化の大きな照明モジュール１０の４近傍の位置（図中の上下左右方向に隣接する位置）にある、ソケットＩＤがＮ２Ｗ１，Ｎ４Ｗ１，Ｎ３Ｗ２の照明モジュール１０を点灯させる。
【００４６】
このように、外部コントローラ３０は、照明モジュール１０の製造ＩＤとソケット２０のソケットＩＤとに基づいて、ソケット２０のどの位置にどのような照明モジュール１０が配置されているのかを認識する。そして、外部コントローラ３０は、照明モジュール１０の各々の装着位置と現状の発光性能（すなわち照明モジュール１０の劣化の度合）とに対応して、一部の照明モジュール１０を消灯し、他の照明モジュール１０のそれぞれを、発する光の輝度を異ならせて点灯させる。
【００４７】
外部コントローラ３０は、照明モジュール１０の各々の劣化度を判定し、相対的に劣化の大きい照明モジュール１０が発する光の輝度を小さくし、相対的に劣化の大きい照明モジュール１０に近接して装着された近接照明モジュールが発する光の輝度を相対的に大きくするように、照明モジュール１０を制御する。これにより、劣化の大きな照明モジュール１０を温存しつつ、照明装置１全体として一定以上の輝度が得られる不具合のない点灯状態となるように、照明装置１の制御が行なわれる。
【００４８】
なお、図８に示す照明モジュール１０の点灯パターンは一例であり、これに限られるものではない。たとえば、上記近接照明モジュールがその最大限の輝度の光を発するように、照明モジュール１０を制御してもよい。
【００４９】
照明モジュール１０の点灯に従って累積稼働時間は動的に更新されるため、それに伴い照明モジュール１０の点灯および消灯のパターンを切り替える必要がある。たとえば、さらに極端な例として、累積稼働時間が長い照明モジュール１０から順に消灯する制御を行なうことができる。たとえば、図９に示すフローチャートに従って、照明モジュール１０の累積稼働時間順に消灯の優先順位を定めることができる。図９は、累積稼働時間に基づいて消灯する照明モジュール１０の優先順位を定めるフローチャートである。
【００５０】
図９に示すように、まずステップＳ１０１において、照明装置１に含まれる全ての照明モジュール１０を点灯する。次にステップＳ１０２において、照明装置１の省エネレベルのしきい値を設定する。このしきい値は、照明装置１全体として発する光の輝度を当該しきい値まで下げてもよい、という値であり、ユーザが許容できる消灯のレベル（暗くしてもよい、というレベル）を示す。このしきい値をＴとして与えると、たとえばＴ＝０とは全ての照明モジュール１０を最大輝度で点灯する必要がある場合であり、Ｔが大きいほどより多くの照明モジュール１０を消灯させてもよいことを示す。
【００５１】
続いてステップＳ１０３において、照明装置１の省エネモードを起動させる。この省エネモードは、ステップＳ１０２で設定したしきい値Ｔに到達するまで照明モジュール１０を消灯させてもよい、という運転状態である。続いてステップＳ１０４において、外部コントローラ３０が各照明モジュール１０の累積稼働時間を確認し、ステップＳ１０５において各照明モジュール１０を累積稼働時間順にソートする。
【００５２】
続いて、累積稼働時間が長い（すなわち、照明モジュール１０の劣化が進んでいる）順に、照明モジュール１０を消灯してよいか否かを検討する。ステップＳ１０６において累積稼働時間最大の照明モジュール１０を選定し、ステップＳ１０７において、ステップＳ１０６で選定された照明モジュール１０の４近傍に位置する照明モジュール１０が点灯しているか判断する。選定された照明モジュール１０の４近傍の照明モジュールのいずれかが消灯している場合、ステップＳ１０８に進み、選定された照明モジュール１０は消灯せず点灯を保ち、累積稼働時間が次に大きい照明モジュール１０を選定して、再度ステップＳ１０７の判断を行なう。
【００５３】
ステップＳ１０７で４近傍の照明モジュール１０が全て点灯していると判断されれば、ステップＳ１０９へ進み、累積稼働時間最大と選定された照明モジュール１０を消灯する。この消灯により省エネレベルが進むので、次にステップＳ１１０において、省エネレベルがユーザの許容するしきい値Ｔ未満であるかを判断する。
【００５４】
省エネレベルがしきい値Ｔ未満であれば、さらに照明モジュール１０を消灯してもよいので、ステップＳ１０８に進み、累積稼働時間が次に大きい照明モジュール１０を選定して、再度ステップＳ１０７の判断を行なう。累積稼働時間が長い順に照明モジュール１０を消灯していき、省エネレベルがしきい値Ｔ以上になれば、消灯の優先順位付けを終了する。
【００５５】
このように、消灯するかどうかの判断対象とされた照明モジュール１０の４近傍などの周囲の状況を考慮して消灯の判断をすることで、照明装置１の一部のみ暗くなる照明ムラの発生を回避することができる。照明装置１全体としての輝度は一定の値以上に保つことができるので、ユーザに暗さを感じさせることなく、省エネモードで照明装置１を点灯させることができる。
【００５６】
上述した通り、照明モジュール１０の点灯に従って、照明モジュール１０の累積稼働時間は動的に更新される。そのため、図９に示すフローを数時間おきに繰り返すことで、照明モジュール１０の各々の累積稼働時間を平準化させることができる。累積稼働時間の平準化によって、累積稼働時間に基づく照明モジュール１０の寿命を、照明装置１内である程度均一に整えることができる。したがって、照明装置１全体としてより長時間の使用が可能となり、長寿命な照明装置１を提供することができる。
【００５７】
照明モジュール１０は消耗品であり、点灯しなくなると交換が必要となる。図９に示すように累積稼働時間を平準化させることで、複数の照明モジュール１０の交換を同時期にまとめて行なうことができるので、照明モジュール１０の交換に伴うユーザの負担を軽減することができる。
【００５８】
図９では、照明モジュール１０の累積稼働時間順に消灯の優先順位を定めたが、累積稼働時間は、照明モジュール１０の劣化度、換言すると照明モジュール１０の現状の発光性能を示す、パラメータの一例である。照明モジュール１０毎の劣化を表す他のパラメータを使用して、照明モジュール１０の消灯の優先順位を決定してもよい。このようなパラメータとして、たとえば、照明モジュール１０の内部抵抗（後述する図１８参照）などが挙げられる。
【００５９】
また、照明モジュール１０の劣化を表すパラメータに加えて、個々の照明モジュール１０毎の特性の差、すなわち照明モジュール１０の本来の発光性能の良し悪しを、消灯の優先順位を定めるための判断基準に加えてもよい。但し、照明装置１に含まれる照明モジュール１０が全て同一の仕様を有する場合は、照明モジュール１０の累積稼働時間に基づいて現状の発光性能を管理すれば、簡単に消灯の優先順位を定めることができるので、制御の簡略化の点で好ましい。
【００６０】
図１０は、劣化の大きい照明モジュール１０を有する照明装置１の他の例を示す模式図である。図１１は、劣化の小さな照明モジュール１０をフル稼働する制御例を示す模式図である。図７，８を参照して説明した例と逆の制御方法として、図１１に示すように、劣化の小さな照明モジュール１０をフル稼働させ、その最大限の輝度の光を放出させる制御例も考えられる。
【００６１】
つまり、図１０に示すように、全ての照明モジュール１０に一定の電圧をかけた場合に、ソケットＩＤがＮ３Ｗ４の照明モジュール１０が暗く劣化が進んでおり、一方、ソケットＩＤがＮ１Ｗ１の照明モジュール１０は新品であり劣化が小さいとする。この場合、図１１に示すように、劣化の大きい照明モジュール１０の発する光の輝度を小さくする一方、劣化の大きい照明モジュール１０に近接して装着された相対的に劣化の小さい照明モジュール１０を、その最大限の輝度の光を発するように制御することができる。このように、新品など劣化の小さな照明モジュール１０が、累積稼働時間が長い照明モジュール１０を助けるように、照明モジュール１０毎に異なる電圧を印加させて照明装置１を制御してもよい。
【００６２】
図１２および図１３は、照明モジュール１０が発する光の輝度を周期的に変動させる例を示す模式図である。図１２および図１３に示すように、複数の照明モジュール１０の最もシンプルな制御方法として、一定間隔で間引きしたパターンの点灯と消灯とを一定周期で交互に切り替える方法が考えられる。
【００６３】
図１４は、劣化の大きい照明モジュール１０を有する照明装置１の他の例を示す模式図である。図１５は、傾斜駆動可能な照明モジュール１０が劣化の大きな照明モジュール１０を取り囲む制御例を示す模式図である。図１４および図１５に示す照明モジュール１０は、回転軸１４を中心として、構造的に傾斜駆動が可能とされている。図１４および図１５に示す３つの照明モジュール１０のうち、中央に配置された照明モジュール１０の劣化が大きいとする。
【００６４】
この場合、図１５に示すように、劣化の小さい照明モジュール１０を回転軸１４を中心として傾斜駆動させ、劣化の大きな中央の照明モジュール１０を取り囲むように移動させる。これにより、劣化の大きい中央の照明モジュール１０の発する光の輝度を小さくして温存しつつ、照明装置１全体として一定以上の輝度が得られる不具合のない点灯状態に制御することができる。
【００６５】
図１６は、劣化の大きい照明モジュール１０を有する照明装置１の他の例を示す模式図である。図１７は、傾斜駆動可能な照明モジュール１０を壁方向に傾け壁の反射を利用する制御例を示す模式図である。図１６および図１７に示す２つの照明モジュール１０は、天井６５に取り付けられており、壁６６により近い照明モジュール１０の劣化が相対的に小さく、壁６６から離れた照明モジュール１０の劣化が大きいとする。
【００６６】
この場合、図１７に示すように、劣化の小さい照明モジュール１０を回転軸１４を中心として傾斜駆動させ、劣化の小さい照明モジュール１０の発する光を壁６６で反射させ、壁６６の反射を利用して照射面の明るさを調整する制御を行なうことができる。これにより、壁６６から離れた劣化の大きい中央の照明モジュール１０の発する光の輝度を小さくして温存しつつ、照明装置１全体として一定以上の輝度が得られる不具合のない点灯状態に制御することができる。
【００６７】
図１８は、照明モジュール１０の累積使用時間と内部抵抗との関係を示すグラフである。図１９は、照明モジュール１０の累積使用時間と照明モジュール１０に印加される電圧との関係を示すグラフである。図１８および図１９において、横軸は照明モジュール１０の累積使用時間ｔを示す。図１８の縦軸は照明モジュール１０の内部抵抗ｒを示す。図１９の縦軸は照明モジュール１０に印加される電圧Ｖを示す。
【００６８】
照明モジュール１０の発光部本体に、図１８のグラフに示すような、累積使用時間ｔが長くなるにつれて発光部において内部抵抗ｒが増加する傾向があった場合、ユーザが体感する照明の照度は暗くなってしまう。そこで、累積使用時間ｔから内部抵抗ｒを判断し、増加する内部抵抗ｒにあわせて図１９に示すように加える電圧Ｖを増加させることで、照明モジュール１０が発する光の輝度が低下することを防止でき、ユーザへ不便を感じさせないようにすることができる。
【００６９】
（実施の形態２）
図２０は、使用用途に応じて部屋６０内の照明モジュール１０を使い分ける例を示す模式図である。図２０に示す部屋６０に設置された照明モジュール１０は、ある電圧が照明装置１に印加されるとき相対的に輝度の大きい光を発する高性能モジュールと、相対的に輝度の小さい光を発する低性能モジュールと、を含む。図２０を参照して、照明モジュール１０の性能差を吸収するような管理について述べる。
【００７０】
図２０に示すように、部屋の使用用途にあわせて照明モジュール１０を配置するユーザもいる。たとえば、作業机６１を照らす照明は高品位機種、部屋の隅などは低品位機種といったように組み合わせて使用するケースである。具体的には、図２０に示す作業机６１の近傍の領域７１には高性能モジュールが配置され、部屋６０の隅にある領域７３には低性能モジュールが配置される。部屋６０内のその他の領域７２には、上記高性能モジュールと低性能モジュールとの中間程度の発光性能を有し、発する光の輝度は高性能モジュールよりも小さいが低性能モジュールよりも大きいような、中性能モジュールが配置される。このような場合、高品位機種は少ない電圧量でも一定の輝度の光を発すると考えられ、その電圧量と同じだけの電圧を加えても低品位機種は同じ輝度を実現しないと想定できる。
【００７１】
そこで、室内の人が増えたので部屋全体を明るくする、または室内に人がいないので極力暗めに点灯させる、といった動作モードを設定することができ、このような場合には、外部コントローラ３０は、照明モジュール１０の性能を考慮した上で、照明装置１に印加される電圧を変動させるよう制御する。
【００７２】
これは店舗のシーンでもニーズがあり、たとえば、商品陳列棚を照らす高性能な照明は、顧客がいない時にはフル稼働させる必要はない。そのため、顧客がいないときには電圧を小さくし、顧客が近づいたときに電圧を高めて最大の輝度の光を発するように、照明装置を制御することができる。
【００７３】
以上のように本発明の実施の形態について説明を行なったが、各実施の形態の構成を適宜組合せてもよい。また、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００７４】
１  照明装置、１０  照明モジュール、２０  ソケット、３０  外部コントローラ、４０  データベース、６０  部屋、６５  天井、６６  壁。
【図１】
2012113977.tif 000003
【図２】
2012113977.tif 000004
【図３】
2012113977.tif 000005
【図４】
2012113977.tif 000006
【図５】
2012113977.tif 000007
【図６】
2012113977.tif 000008
【図７】
2012113977.tif 000009
【図８】
2012113977.tif 000010
【図９】
2012113977.tif 000011
【図１０】
2012113977.tif 000012
【図１１】
2012113977.tif 000013
【図１２】
2012113977.tif 000014
【図１３】
2012113977.tif 000015
【図１４】
2012113977.tif 000016
【図１５】
2012113977.tif 000017
【図１６】
2012113977.tif 000018
【図１７】
2012113977.tif 000019
【図１８】
2012113977.tif 000020
【図１９】
2012113977.tif 000021
【図２０】
2012113977.tif 000022